(57)【要約】【課題】第１の階層と第１の階層よりも高品質な第２の階層とを切り替えて表示する場合に、第２の階層から第１の階層への切替について利用者の満足度を高めること。【解決手段】操作部が、第２の階層から第２の階層への切替要求を受け付けることとしたうえで、学習処理部が、第２の階層の受信不良が検出されてから切替猶予時間が経過するまでに切替要求を受け付けた回数を示す強制切替回数の累積を行い、映像切替処理部が、累積された強制切替回数に基づいて第２の階層表示用画面の子画面として第２の階層表示用画面を合成するか否かを決定するように画像処理装置を構成する。【選択図】        図２
2010028225.tif 000002
【特許請求の範囲】
【請求項１】
第１の階層と前記第１の階層よりも高品質な第２の階層とを切り替えて表示する画像処理装置であって、
前記第２の階層から前記第１の階層への切替要求を受け付ける切替要求受付手段と、
前記第２の階層の受信不良が検出されてから切替猶予時間が経過するまでに前記切替要求受付手段が前記切替要求を受け付けた回数を示す強制切替回数の累積を行う累積手段と、
前記累積手段によって累積された前記強制切替回数に基づいて前記第２の階層表示用画面の子画面として前記第１の階層表示用画面を合成するか否かを決定する合成決定手段と
を備えたことを特徴とする画像処理装置。
【請求項２】
前記累積手段は、
前記第２の階層の受信不良が検出されてから切替猶予時間が経過して前記第１の階層へ自動切替された回数を示す自動切替回数をさらに蓄積するものであって、
前記合成決定手段は、
前記強制切替回数および前記自動切替回数に基づいて前記第２の階層表示用画面の子画面として前記第１の階層表示用画面を合成するか否かを決定することを特徴とする請求項１に記載の画像処理装置。
【請求項３】
前記累積手段は、
前記画像処理装置の電源がＯＦＦとなった場合に、累積した情報を消去することを特徴とする請求項１または２に記載の画像処理装置。
【発明の詳細な説明】
【技術分野】
【０００１】
この発明は、第１の階層と第１の階層よりも高品質な第２の階層とを切り替えて表示する画像処理装置に関し、特に、第２の階層から第１の階層への切替について利用者の満足度を高めることができる画像処理装置に関する。
【背景技術】
【０００２】
近年、車載用ＤＴＶ（デジタルテレビジョン）受信機が普及してきている（たとえば、特許文献１参照）。ＤＴＶ放送においては、１チャンネルあたり１３のセグメントに分けて画像情報を送信している。このため、１３のセグメントのうち１２セグメントを使用する地上デジタルテレビ放送（以下、「１２セグ放送」と記載する）と、１セグメントのみを使用するワンセグ放送とを同時に配信することができる。
【０００３】
ところで、上記した車載用ＤＴＶ受信機の場合、車両の速度や向き、車両周辺の環境に応じて受信環境が絶えず変化する。したがって、解像度およびフレームレート（単位時間あたりのフレーム画像数）が良い１２セグ放送の受信不良を起こすことがある。
【０００４】
しかし、このような場合であってもワンセグ放送の受信は可能である場合もあるため、１２セグ放送の受信不良が所定時間継続した場合に、１２セグ映像からワンセグ映像へ自動的に切り替える機能を有するものも登場してきた。
【０００５】
【特許文献１】特開２００６−８０７５８号公報
【発明の開示】
【発明が解決しようとする課題】
【０００６】
しかしながら、１２セグ放送の受信不良が所定時間継続した場合に、１２セグ映像からワンセグ映像へ自動的に切り替える機能を用いた場合、利用者が予想しないタイミングで、ワンセグ映像へ切り替わってしまい、利用者に対して不快感を与えてしまうという問題があった。
【０００７】
また、所定時間の経過を待つことができずに、切替ボタンを操作して強制的にワンセグ放送へ切り替える利用者（「せっかち」な利用者）も存在するため、上記した自動切替機能は、利用者に対して十分な満足感を与えることができないという問題もあった。
【０００８】
これらのことから、１２セグ映像からワンセグ映像への切替について利用者の満足度を高めることができる車載用ＤＴＶ受信機をいかにして実現するかが大きな課題となっている。なお、かかる課題は、車載用ＤＴＶ受信機に限らず、受信状況が変化しやすい環境で用いられる携帯端末装置などの画像処理装置全般において発生する課題である。
【０００９】
また、かかる課題は、１２セグ映像からワンセグ映像への切替に限らず、第１の階層と第１の階層よりも高品質な第２の階層とを切り替えて表示する場合に、第２の階層から第１の階層への切替においても同様に発生する課題である。
【００１０】
本発明は、上述した従来技術による問題点を解消するためになされたものであり、第１の階層と第１の階層よりも高品質な第２の階層とを切り替えて表示する場合に、第２の階層から第１の階層への切替について利用者の満足度を高めることができる画像処理装置を提供することを目的とする。
【課題を解決するための手段】
【００１１】
上述した課題を解決し、目的を達成するため、本発明は、第１の階層と前記第１の階層よりも高品質な第２の階層とを切り替えて表示する画像処理装置であって、前記第２の階層から前記第１の階層への切替要求を受け付ける切替要求受付手段と、前記第２の階層の受信不良が検出されてから切替猶予時間が経過するまでに前記切替要求受付手段が前記切替要求を受け付けた回数を示す強制切替回数の累積を行う累積手段と、前記累積手段によって累積された前記強制切替回数に基づいて前記第２の階層表示用画面の子画面として前記第１の階層表示用画面を合成するか否かを決定する合成決定手段とを備えたことを特徴とする。
【発明の効果】
【００１２】
本発明によれば、第２の階層から第１の階層への切替要求を受け付けることとしたうえで、第２の階層の受信不良が検出されてから切替猶予時間が経過するまでに切替要求を受け付けた回数を示す強制切替回数の累積を行い、累積された強制切替回数に基づいて第２の階層表示用画面の子画面として第１の階層表示用画面を合成するか否かを決定することとしたので、利用者の操作状況を学習することで、利用者の操作傾向に応じた映像切替を行うことができるという効果を奏する。これによって、たとえば、せっかちな利用者に対してはワンセグ映像の子画面を表示してワンセグ映像の受信状況を告知することで、利用者の満足度を高めることができる。
【発明を実施するための最良の形態】
【００１３】
以下に添付図面を参照して、この発明に係る画像処理装置の好適な実施例を詳細に説明する。なお、以下では、本発明に係る画像処理手法の概要について図１を用いて説明した後に、本発明に係る画像処理手法を適用した画像処理装置についての実施例を説明することとする。また、以下では、第２の階層として１２セグ映像を、第１の階層として１セグ映像を用いる場合について説明することとする。
【００１４】
まず、本発明に係る画像処理手法の概要について図１を用いて説明する。図１は、本発明に係る画像処理手法の概要を示す図である。なお、同図の（Ａ）には、従来技術に係る画像処理手法の概要を、同図の（Ｂ）には、本発明に係る画像処理手法の概要を、それぞれ示している。
【００１５】
本発明に係る画像処理手法は、１２セグ映像からワンセグ映像への自動切替を行う際に、自動切替のための切替猶予期間内に利用者による強制切替操作が行われたか否かを学習し、学習結果に応じて映像の表示形態を変更するものである。なお、本発明が対象とする利用者は、車両の助手席等に乗車する同乗者、すなわち、ドライバー以外の人物である。
【００１６】
同図の（Ａ）に示すように、従来、１２セグ映像からワンセグ映像の自動切替を行う際には、１２セグ映像の受信状況の悪化を検出してから（同図の（Ａ−１）参照）、所定の切替猶予期間（たとえば、２．５秒）が経過しても受信状況が好転しなかったことを条件として、ワンセグ映像への自動切替が行われていた（同図の（Ａ−２）参照）。
【００１７】
このため、利用者が予想しないタイミングでワンセグ映像への切替が行われたり、切替猶予期間（たとえば、２．５秒）を待つことができない利用者のニーズに応えたりすることができず、結果として、利用者の満足感を得られないという問題があった。
【００１８】
そこで、本発明に係る画像処理手法では、切替猶予期間（たとえば、２．５秒）の間に利用者による強制切替操作が行われたか否かを学習し、学習結果に基づいて映像表示の形態を変更することとした。
【００１９】
具体的には、同図に示すように、切替猶予期間（たとえば、２．５秒）の間に、利用者による構成切替操作（たとえば、ボタン操作やタッチパネル操作）が行われたか否かを検出し、強制切替回数を累積する（同図の（Ｂ−１）参照）。そして、かかる強制切替回数に基づいて利用者が「せっかち」であるか否かを判定する。
【００２０】
そして、強制切替回数が、所定回数（たとえば、２回〜３回）以上となったならば、利用者が「せっかち」であると判定し、１２セグ映像の受信状況の悪化を検出すると直ちに２画面表示を行うこととした。ここで、２画面表示では、主画面として１２セグ映像を表示しつつ、主画面内の副画面（子画面）にワンセグ映像を合成して表示する（同図の（Ｂ−２）参照）。
【００２１】
つまり、かかる２画面表示を見た利用者は、ワンセグ映像の受信状況を確認しつつ、ワンセグ映像への手動切替を選択することができる。なお、手動切替を行うことなく切替猶予期間が経過した場合であって、１２セグ受信状況が好転しなかった場合には、ワンセグ映像への自動切替が行われる。
【００２２】
なお、上記したように、本発明が対象とする利用者は、車両の助手席等に乗車している同乗者であるので、同一人物が対象とはならない。したがって、本発明に係る画像処理手法では、車両のアクセサリ電源（ＡＣＣ電源）がＯＦＦとなったならば、上記した強制切替回数をリセットし、ＡＣＣ電源がＯＮとなったならば、あらたに強制切替回数のカウントアップを行うこととした。
【００２３】
このように、本発明に係る画像処理手法では、利用者の操作傾向を学習したうえで、学習結果に基づいて１２セグ映像からワンセグ映像への切替処理を行うこととした。したがって、利用者の操作傾向に応じた映像切替を行うことができる。
【００２４】
以下では、本発明に係る画像処理手法を適用した画像処理装置についての実施例を説明する。なお、以下の実施例では、自動車などの移動体に設けられる画像処理装置について示すこととする。
【実施例】
【００２５】
図２は、本実施例に係る画像処理装置１０の構成を示すブロック図である。同図に示すように、画像処理装置１０は、アンテナ１と、表示装置１００とに接続されており、復調部１１と、デコード部１２と、操作部１３と、映像切替制御部１４と、記憶部１５とを備えている。
【００２６】
また、映像切替制御部１４は、受信状況取得部１４ａと、学習処理部１４ｂと、映像切替処理部１４ｃと、せっかち度判定部１４ｄとをさらに備えており、記憶部１５は、操作履歴情報１５ａを記憶する。
【００２７】
復調部１１は、アンテナ１から受け取った信号を復調したうえで、復調後のデータをデコード部１２へ渡す処理を行うとともに、放送波の受信状況を映像切替制御部１４の受信状況取得部１４ａへ通知する処理を行う処理部である。
【００２８】
ここで、復調部１１は、受信状況として、ＴＳ（Transport  Stream）エラー信号を受信状況取得部１４ａへ通知するものとする。そして、ＴＳエラー信号は、Ａ階層（ワンセグ）、Ｂ階層（１２セグ）といった階層ごとに検出することができるので、１２セグ映像の受信状況およびワンセグ映像の受信状況が、受信状況取得部１４ａに対して通知されることになる。
【００２９】
なお、受信状況を、ＡＧＣ（Auto  Gain  Control）電圧レベルなどの電界レベル、ＢＥＲ（Bit  Error  Ratio）、Ｃ／Ｎ（Carrier  To  Noise  Ratio）等に基づいて取得することとしてもよい。さらに、受信状況を画像処理装置１０が搭載される車両の走行速度から推定することとしてもよい。
【００３０】
デコード部１２は、復調部１１から受け取った復調後のデータを復号することで、入力映像を再生するとともに、再生した入力映像を映像切替制御部１４の映像切替処理部１４ｃへ渡す処理を行う処理部である。ここで、デコード部１２は、入力映像として１２セグ映像およびワンセグ映像を映像切替処理部１４ｃへ渡すものとする。
【００３１】
操作部１３は、操作ボタンや、表示装置１００の表示面に設けられたタッチパネルで構成される操作デバイスであり、利用者による映像切替操作を受け付け、受け付けた操作内容を映像切替制御部１４の学習処理部１４ｂに対して通知する処理を行う。
【００３２】
映像切替制御部１４は、復調部１１から受け取った受信状況および操作部１３から受け取った操作内容に基づき、デコード部１２から受け取った１２セグ映像およびワンセグ映像の切替制御を行う処理部である。
【００３３】
受信状況取得部１４ａは、復調部１１から１２セグ映像の受信状況を受け取り、受け取った１２セグ映像の受信状況を学習処理部１４ｂおよび映像切替処理部１４ｃに対して通知する処理を行う処理部である。
【００３４】
ここで、受信状況取得部１４ａは、１２セグ映像の受信状況を良もしくは悪の２段階で通知するものとする。なお、本実施例では、受信状況を２段階で通知する場合について説明するが、通知内容を３段階以上とすることとしてもよい。また、本実施例では、復調部１１から通知される１２セグ映像の受信状況およびワンセグ映像の受信状況のうち、１２セグ映像の受信状況のみを使用する場合について示している。
【００３５】
学習処理部１４ｂは、１２セグ映像の受信状況が悪化してから所定の切替猶予期間（たとえば、２．５秒）が経過するまでに１２セグ映像からワンセグ映像への強制切替操作が行われた場合に、操作履歴情報１５ａにおける強制切替回数をカウントアップする処理を行う処理部である。
【００３６】
たとえば、この学習処理部１４ｂは、受信状況取得部１４ａから１２セグ映像の受信状況が悪い旨を通知されると計時を開始する。そして、操作部１３から受け取った操作内容が１２セグ映像からワンセグ映像への切替操作である場合には、かかる切替操作が行われたタイミングが、計時開始を始点とする切替猶予期間内か否かを判定する。
【００３７】
ここで、操作履歴情報１５ａの例について図３を用いて説明しておく。図３は、操作履歴情報１５ａの例を示す図である。同図の（１）に示すように、操作履歴情報１５ａは、１２セグ映像の受信状況が悪化してから切替猶予期間が経過する前にワンセグ映像への手動切替が行われた回数を示す「強制切替回数」を含んだ情報である。
【００３８】
なお、同図に示す「Ａ回」は、ＡＣＣ電源がＯＮになった場合には、０回であり、学習処理部１４ｂによってカウントアップされる。そして、ＡＣＣ電源がＯＦＦになった場合にはクリア（０回へ変更）される。
【００３９】
なお、同図の（２）に示すように、１２セグ映像の受信状況が悪化してから切替猶予期間が経過するまでにワンセグ映像への手動切替が行われず、切替猶予期間の満了に伴ってワンセグ映像への自動切替が行われた回数を示す「自動切替回数」を、操作履歴情報１５ａに含めることとしてもよい。また、同図の（３）に示すように、「カーナビ操作回数」や「エアコン操作回数」といった操作回数を、操作履歴情報１５ａに含めることとしてもよい。
【００４０】
図２の説明に戻り、せっかち度判定部１４ｄについて説明する。せっかち度判定部１４ｄは、図３を用いて説明した操作履歴情報１５ａに基づいて利用者のせっかち度を判定する処理を行う処理部である。たとえば、このせっかち度判定部１４ｄは、操作履歴情報１５ａが図３の（１）に示したように強制切替回数（Ａ回）を含むものである場合、Ａ回が所定の閾値（たとえば、２回または３回）以上となった場合に、利用者を「せっかち」であると判定する。
【００４１】
また、操作履歴情報１５ａが図３の（２）に示したように、自動切替回数（Ｂ回）をさらに含むものである場合、式「Ａ／（Ａ＋Ｂ）」が所定の割合（たとえば、８０％）以上となった場合に、利用者を「せっかち」であると判定する。
【００４２】
なお、操作履歴情報１５ａが図３の（３）に示したように、カーナビ操作回数（Ｃ回）やエアコン操作回数（Ｄ回）などのように、映像切替以外の操作回数をさらに含むものである場合、たとえば、すべての回数の総和が所定値以上となったことを条件として、利用者を「せっかち」であると判定することができる。
【００４３】
また、このように、映像切替以外の操作回数をさらに含んだ操作履歴情報１５ａを用いる場合に、ＡＣＣ電源がＯＮになってから経過した時間を考慮してせっかち判定を行うこととしてもよい。たとえば、ＡＣＣ電源がＯＮになってから１０分の間に、操作回数の総和が２０回以上となった場合に、利用者を「せっかち」であると判定することができる。
【００４４】
このように、せっかち度判定部１４ｄは、記憶部１５の操作履歴情報１５ａに基づいて利用者がせっかちであるか、せっかちではないかを判定し、判定結果を映像切替処理部１４ｃに対して通知する。
【００４５】
映像切替処理部１４ｃは、デコード部１２から受け取った１２セグ映像およびワンセグ映像を、受信状況取得部１４ａから受け取った１２セグ映像の受信状況、および、せっかち度判定部１４ｄによる判定結果に基づいて切り替える処理を行う処理部である。
【００４６】
また、この映像切替処理部１４ｃは、１２セグ映像を表示する主画面に対し、ワンセグ映像を表示する副画面（子画面）を合成する処理を併せて行う。以下では、主画面および子画面からなる表示形態を「２画面表示」と記載する。なお、この映像切替処理部１４ｃは、切替処理後の映像を出力映像として表示装置１００へ出力する。
【００４７】
ここで、映像切替処理部１４ｃが行う処理の概要について図４および図５を用いて説明しておく。図４は、２画面表示のタイミングを示す図である。なお、同図の（１）には、せっかち度判定部１４ｄが、利用者がせっかちである旨の判定を行う以前の映像切替状況を、同図の（２）には、利用者がせっかちである旨の判定を行った後の映像切替状況を、それぞれ示している。
【００４８】
図４の（１）に示すように、利用者がせっかちである旨の判定を行う以前では、１２セグ受信状況が悪化したことを検知してから切替猶予期間、たとえば、２．５秒が経過すると、１２セグ映像からワンセグ映像への自動切替が行われる（同図の４１参照）。
【００４９】
また、ワンセグ映像表示中に１２セグ受信状況が好転した場合には、１２セグ受信状況の良好な状態が、たとえば、１０秒継続すると、ワンセグ映像から１２セグ映像への自動切替が実行される。
【００５０】
一方、同図の（２）に示すように、利用者がせっかちである旨の判定を行った後には、１２セグ受信状況が悪化したことを検知すると直ちに２画面表示が行われる。そして、２．５秒（切替猶予期間）経過後に、１２セグ画面からワンセグ画面への自動切替が実行される。なお、２．５秒（切替猶予期間）以内に、手動操作でワンセグ画面へ切り替えることもできる。
【００５１】
図５は、２画面表示の画面例を示す図である。なお、同図の５１は、表示装置１００の表示エリアを示している。同図に示すように、表示エリア５１に１２セグ画面が表示されている状態で、１２セグ受信不良が検出されると（同図の（１）参照）、表示エリア５１の一部にワンセグ画面５２が合成されたうえで表示される（同図の（２）参照）。
【００５２】
そして、切替猶予期間（たとえば、２．５秒）の経過前に、利用者によってワンセグ画面５２がタッチされると、表示エリア５１には、ワンセグ画面が表示される。なお、同図では、ワンセグ画面５２の表示位置が表示エリア５１の右上である場合について示しているが、他の位置にワンセグ画面５２を表示することとしてもよい。
【００５３】
このようにして、映像切替処理部１４ｃは、１２セグ映像とワンセグ映像との切替処理を行う。なお、記憶部１４は、メモリやハードディスクドライブ装置といった記憶デバイスで構成される記憶部であり、操作履歴情報１５ａを記憶するが、操作履歴情報１５ａについては、図３を用いて既に説明したので、説明を省略する。
【００５４】
次に、画像処理装置１０が実行する処理手順について図６を用いて説明する。図６は、画像処理装置１０が実行する処理手順を示すフローチャートである。なお、同図のフローチャートでは、１２セグ映像を表示している状態を前提とした処理手順について示している。
【００５５】
同図に示すように、映像切替制御部１４は、１２セグ映像の受信状況が良好であるか否かを判定する（ステップＳ１０１）。そして、１２セグ受信が良好である場合には（ステップＳ１０１，Ｙｅｓ）、１２セグ映像出力を継続し（ステップＳ１０２）、処理を終了する。
【００５６】
一方、１２セグ受信が不良である場合には（ステップＳ１０１，Ｎｏ）、操作履歴情報１５ａに含まれる強制切替回数（図３参照）が所定値未満であるか否かを判定する（ステップＳ１０３）。そして、強制切替回数が所定値未満である場合には（ステップＳ１０３，Ｙｅｓ）、切替猶予期間内にワンセグ映像への切替操作が行われたか否かを判定する（ステップＳ１０４）。
【００５７】
そして、切替猶予期間内にワンセグ切替操作が行われた場合には（ステップＳ１０４，Ｙｅｓ）、操作履歴情報１５ａの強制切替回数をカウントアップする（ステップＳ１０５）。
【００５８】
一方、ステップＳ１０４の判定条件を満たさなかった場合には（ステップＳ１０４，Ｎｏ）、切替猶予期間内に１２セグ受信が可能となったか否か、すなわち、１２セグ受信状況が好転したか否かを判定し（ステップＳ１０６）、１２セグ受信状況が好転した場合には（ステップＳ１０６，Ｙｅｓ）、１２セグ映像出力を継続し（ステップＳ１０８）、処理を終了する。
【００５９】
なお、ステップＳ１０５の実行後、および、ステップＳ１０６の判定条件を満たさなかった場合には（ステップ１０６，Ｎｏ）、１２セグ映像出力からワンセグ映像出力へ切り替えたうえで（ステップＳ１０７）、処理を終了する。
【００６０】
ところで、ステップＳ１０３の判定条件を満たさなかった場合、すなわち、操作履歴情報１５ａに含まれる強制切替回数が所定値以上である場合には（ステップＳ１０３，Ｎｏ）、ワンセグ映像の子画面表示モード（図５の（２）参照）へ移行し（ステップＳ１０９）、処理を終了する。
【００６１】
次に、図６のステップＳ１０９に示したワンセグ映像の子画面表示モード、すなわち、利用者を「せっかち」と判定した後における処理手順について図７を用いて説明する。図７は、せっかち判定後の処理手順を示すフローチャートである。
【００６２】
同図に示すように、「せっかち」と判定した後では、１２セグ映像の受信状況が良好であるか否かを判定し（ステップＳ２０１）、１２セグ受信が良好である場合には（ステップＳ２０１，Ｙｅｓ）、１２セグ映像出力を継続し（ステップＳ２０２）、処理を終了する点については、図６の場合と同様である。
【００６３】
一方、１２セグ受信が不良である場合には（ステップＳ２０１，Ｎｏ）、直ちにワンセグ映像を子画面表示し（ステップＳ２０３）、ワンセグ切替操作の有無を判定する（ステップＳ２０４）。そして、ワンセグ切替操作があった場合には（ステップＳ２０４，Ｙｅｓ）、ワンセグ映像出力へ切り替えたうえで（ステップＳ２０６）、処理を終了する。
【００６４】
なお、ワンセグ切替操作がなかった場合には（ステップＳ２０４，Ｎｏ）、切替猶予期間が経過したか否かを判定する（ステップＳ２０５）。そして、切替猶予期間が経過した場合には（ステップＳ２０５，Ｙｅｓ）、ワンセグ映像出力へ切り替えたうえで（ステップ２０６）、処理を終了する。一方、切替猶予期間が未だ経過していない場合には（ステップＳ２０５，Ｎｏ）、ステップＳ２０５の処理を繰り返す。
【００６５】
上述してきたように、本実施例では、操作部が、１２セグ映像からワンセグ映像への切替要求を受け付けることとしたうえで、学習処理部が、１２セグ映像の受信不良が検出されてから切替猶予時間が経過するまでに切替要求を受け付けた回数を示す強制切替回数の累積を行い、映像切替処理部が、累積された強制切替回数に基づいて１２セグ映像表示用画面の子画面としてワンセグ映像表示用画面を合成するか否かを決定するように画像処理装置を構成した。したがって、利用者の操作状況を学習することで利用者の操作傾向に応じた映像切替を行うことができ、利用者の満足度を高めることが可能となる。
【００６６】
また、上述した実施例では、アクセサリ電源（ＡＣＣ電源）がＯＦＦとなったならば、強制切替回数をリセットする場合について説明したが、助手席の乗員を検知することとしたうえで、ＡＣＣ電源ＯＮ時または自車両走行時に、助手席の乗員が不在であることを条件として強制切替回数をリセットするようにしてもよい。これにより、助手席の乗員が確実に入れ替わったタイミングで強制切替回数をリセットすることが可能となる。
【産業上の利用可能性】
【００６７】
以上のように、本発明に係る画像処理装置は、１２セグ放送からワンセグ放送への切替について利用者の満足度を高めたい場合に有用であり、特に、せっかちな利用者の満足度を高めたい場合に適している。
【図面の簡単な説明】
【００６８】
【図１】本発明に係る画像処理手法の概要を示す図である。
【図２】本実施例に係る画像処理装置の構成を示すブロック図である。
【図３】操作履歴情報の例を示す図である。
【図４】２画面表示のタイミングを示す図である。
【図５】２画面表示の画面例を示す図である。
【図６】画像処理装置が実行する処理手順を示すフローチャートである。
【図７】せっかち判定後の処理手順を示すフローチャートである。
【符号の説明】
【００６９】
１    アンテナ
１０    画像処理装置
１１    復調部
１２    デコード部
１３    操作部
１４    映像切替制御部
１４ａ  受信状況取得部
１４ｂ  学習処理部
１４ｃ  映像切替処理部
１４ｄ  せっかち度判定部
１５    記憶部
１５ａ  操作履歴情報
【図１】
2010028225.tif 000003
【図２】
2010028225.tif 000004
【図３】
2010028225.tif 000005
【図４】
2010028225.tif 000006
【図５】
2010028225.tif 000007
【図６】
2010028225.tif 000008
【図７】
2010028225.tif 000009